(57)【要約】【課題】  長時間稼動してメダルの投入が継続的に行なわれても、規定よりも小さな不正なメダルを正確に選別して確実に排出すると共に、正規のメダルを誤って排出することのない、選別精度を持続させることのできる動作の安定したメダルセレクタを備える遊技台を提供する。【解決手段】  スロットマシンにおいて、規定の外径よりも小さいメダルＭを選別して排除するメダルセレクタの移送ガイド６５のメダル転動面６５２を、メダルＭの下方部分を側面からガイドする下部ガイド６８側が低くなる傾斜面とした。【選択図】    図１１
2005052397.tif 000002
【特許請求の範囲】
【請求項１】
メダル投入口より投入されたメダルを、当該メダルの大きさに基づいて選別するメダルセレクタを備えた遊技台であって、
前記投入されたメダルが転動しながら目的の方向へ移動する下り傾斜を有するメダル通路を備える前記メダルセレクタには、
前記メダルが転動するメダル転動面を有する移送ガイドと、
前記転動するメダルの下部一側をガイドする下部ガイドと、
前記転動するメダルの上部一側をガイドする上部ガイドと、
を設け、
前記移送ガイドの前記メダル転動面を、前記下部ガイド側が低くなる傾斜面としたことを特徴とする遊技台。
【請求項２】
請求項１記載の遊技台であって、
前記移送ガイドのメダル転動面を、前記下部ガイドと離間して配置したことを特徴とする遊技台。
【請求項３】
請求項１または２記載の遊技台であって、
前記移送ガイドのメダル転動面には、滑りをよくするための平滑層を設けたことを特徴とする遊技台。
【発明の詳細な説明】
【技術分野】
【０００１】
本発明は、通称「パチスロ」と呼ばれているスロットマシンに代表される遊技台に関するものである。
【背景技術】
【０００２】
遊技台の一つとしてスロットマシンが従来より知られている。このスロットマシンは、一般に、複数種類の絵柄が施された複数のリールと、メダルの投入を前提条件として、リールの回転開始を指示するスタートスイッチと、各リールに対応して設けられ、各リールを個別に停止させるためのストップスイッチと、予め定めた入賞役の内部当選の当否を抽選により判定する抽選手段と、入賞役に内部当選した場合であって、停止時のリールによって表示される絵柄の組合せが、内部当選した入賞役に対応して予め定めた絵柄の組合せである場合に、その入賞役に入賞し、払い出しが必要な場合には所定数のメダルを払い出す遊技台である。
【０００３】
メダルの投入方式としては、電子的に貯留されているメダルを投入する場合と、メダル投入口より、実物のメダルを実際に投入する場合とがある。
メダル投入口に投入されたメダルは、スロットマシン内部に配設されたメダルセレクタを通過し、この際、不正なメダル（偽メダル）が排除される。即ち、規定の大きさよりも小さいメダルが、メダルセレクタによって選別されて、小さいと認定されたメダルがメダル排出口から排出される。
【０００４】
従来のメダルセレクタは、例えば、図１２（ａ）〜（ｃ）に示すように構成されていた。即ち、メダルセレクタの概略は、メダル投入口に投入されたメダルＭを、図示していないメダル送り口へガイドするためのガイド部材と、規定より小さいメダルを排除するための押出しガイドとを備えている。
【０００５】
尚、図１２（ａ）〜（ｃ）には、遊技者がメダル詰まりを解消するために返却ボタンを操作したときに、傾動して通過中のメダルＭを押し出す押出し部材７３が画かれている。また、図示されていないが、メダルセレクタには、通常、規定枚数以上投入されたメダルＭを受け皿に戻すためのメダルブロッカが並設されている。
【０００６】
メダルＭをガイドするためのガイド部材は、具体的には、メダルＭの上縁が係止する爪部７１１を有する上部ガイド７１２と、メダルＭの下部側面が摺接する下部ガイド７１３と、メダルＭの下面を支え、メダルＭが転動する移送ガイド７１４と、から構成されている。
【０００７】
また、前記上部ガイド７１２と、移送ガイド７１４との中間よりやや上方には、基板７２１に回動自在に設けられると共に、図示していないトーションスプリングによりメダルＭを押圧する方向に緩く付勢された可動型押出しガイド７２２の押圧片７２３の先端が臨んでいる。
【０００８】
前記のような従来のメダルセレクタにおいて、メダル投入口に投入されたメダルＭが定められた外径を有する正規なメダルな場合は、図１２（ｂ）に示すように、メダルＭの上縁を上部ガイド７１２の爪部７１１に係止させながら、移送ガイド７１４の転動面７１５上を転動して図示していないメダル送り口からホッパーのメダルタンクへ取り込まれる。このとき、可動型押出しガイド７２２の押圧片７２３が、転動するメダルＭのガイドとして機能している。
【０００９】
一方、外径が正規のメダルよりも小さい場合には、メダルＭの下面が移送ガイド７１４の転動面７１５に載っても、上縁が上部ガイド７１２の爪部７１１に係止していないので、図１２（ｃ）に示すように、メダルＭの中段よりやゝ上部を、可動型押出しガイド７２２の押圧片７２３により側方から押圧されると、傾倒して下面が移送ガイド７１４から外れて落下し、受け皿に排出される（例えば、特許文献１参照）。
【００１０】
【特許文献１】特開２００２−３３６４１６号公報
【発明の開示】
【発明が解決しようとする課題】
【００１１】
ところで、遊技に使用されたメダルＭは、遊技者の手垢等でかなり汚れている。このため、長い期間通して数万枚或いは数十万枚のメダルＭが投入されると、その汚れＲがメダルＭの通過軌跡に沿って堆積する。即ち、例えば、図１３（ｂ）に示すように、移送ガイド７１４の転動面７１５に汚れＲが堆積してしまう。
【００１２】
このように汚れＲが堆積してしまうと、転動するメダルＭが堆積した汚れＲの上に載り（図１３（ｃ））、転動が不安定となって傾き（図１３（ｄ））、メダルＭが転動面７１５から外れてしまい（図１３（ｅ））、正規のメダルＭまでもが、排出されてしまうという問題がしばしば発生しているのが現状である。
【００１３】
本発明が解決しようとする課題は、長時間稼動してメダルの投入が継続的に行なわれても、規定よりも小さな不正なメダルを正確に選別して確実に排出すると共に、正規のメダルを誤って排出することのない、選別精度を持続させることのできる動作の安定したメダルセレクタを備える遊技台を提供することにある。
【課題を解決するための手段】
【００１４】
前記課題を解決するために、請求項１に係る発明は、メダル投入口より投入されたメダルを、当該メダルの大きさに基づいて選別するメダルセレクタを備えた遊技台であって、前記投入されたメダルが転動しながら目的の方向へ移動する下り傾斜を有するメダル通路を備える前記メダルセレクタには、前記メダルが転動するメダル転動面を有する移送ガイドと、前記転動するメダルの下部一側をガイドする下部ガイドと、前記転動するメダルの上部一側をガイドする上部ガイドと、を設け、前記移送ガイドの前記メダル転動面を、前記下部ガイド側が低くなる傾斜面としたことを特徴とする。
請求項２に係る発明は、請求項１の構成に加えて、前記移送ガイドのメダル転動面を、前記下部ガイドと離間して配置したことを特徴とする。
請求項３に係る発明は、請求項１また２の構成に加えて、前記移送ガイドのメダル転動面には、滑りをよくするための平滑層を設けたことを特徴とする。
【発明の効果】
【００１５】
請求項１に係る発明において、下部ガイド側へ下り傾斜したメダル転動面を転動するメダルには、転動面の傾斜に対応する分力が生じ、転動するメダルが傾斜下側の下部ガイド側へ付勢され、メダルのガイド力が向上する。このため、転動するメダルがメダル転動面に堆積した汚れに乗り上げても、このメダルが直ちに転倒することがなく、堆積した汚れに起因する誤動作を確実に防止することができる。
また、メダル転動面が傾斜しているので、メダルと転動面との接触面積が減少し、転動時の抵抗が少ない。このため、メダルがスムーズに転動するので、堆積した汚れの影響を受け難くなる。
更に、メダル転動面が傾斜しているため、汚れ自身も傾斜の影響を受けて傾斜の下側となる下部ガイドに寄った位置に堆積することになる。しかし、この下部ガイド側では、転動面とメダルの下面とは接触することがなく空間となっているので、この空間内に汚れが堆積しても、転動するメダルは当該汚れの影響を受けることがない。たとえ、この空間から溢れる程に汚れが堆積しても、前記したように、転動するメダルには下部ガイド側へ付勢する分力が働いて、メダルのガイド力が向上しているので、転倒し難く、堆積した汚れの影響を受け難い。
従って、請求項１に係る発明によれば、メダル転動面に堆積した汚れが原因となって、正規のメダルまでもが排除されてしまう誤動作が発生することがなく、長期間に亘って安定したメダルの選別が可能である。
請求項２に係る発明においては、メダル転動面が傾斜しているばかりではなく、当該メダル転動面と下部ガイドとの間に隙間を設けているので、メダルから剥がれ落ちる汚れを、前記隙間から排除することができる。
このため、メダルから剥がれ落ちる汚れの影響を受けることなくメダルが転動可能であり、汚れに起因する誤動作が発生することがない。たとえ、排除しきれずに汚れがメダル転動面に堆積することがあっても、当該メダル転動面が傾斜しているので、転動するメダルには傾斜に対応した分力が働いており、メダルが下部ガイド側へ付勢されてメダルのガイド力が向上しているため、堆積した汚れの影響を受け難く安定した転動が可能である。
従って、請求項２に係る発明によれば、メダル転動面に堆積した汚れが原因となって、正規のメダルまでもが排除されてしまう誤動作が発生することがなく、長期間に亘って安定したメダルの選別が可能である。
請求項３に係る発明においては、メダル転動面に平滑層を設けているので、この平滑層の作用により、メダルの滑りがよくなると共に、汚れの堆積を防止可能であり、また耐摩耗性を向上させることができる。
しかも、メダル転動面が傾斜しているので、転動するメダルには傾斜に対応する分力が働いており、メダルが下部ガイド側へ付勢されてメダルのガイド力が向上しているため、堆積した汚れの影響を受け難く安定した転動が可能である。
従って、請求項３に係る発明によれば、メダル転動面に堆積した汚れが原因となって、正規のメダルまでもが排除されてしまう誤動作が発生することがなく、長期間に亘って安定したメダルの選別が可能である。
【発明を実施するための最良の形態】
【００１６】
複数種類の絵柄が施された複数のリールと、メダルの投入を前提条件として、リールの回転開始を指示するスタートスイッチと、各リールに対応して設けられ、各リールを個別に停止させるためのストップスイッチと、予め定めた入賞役の内部当選の当否を抽選により判定する抽選手段と、入賞役に内部当選した場合であって、停止時のリールによって表示される絵柄の組合せが、内部当選した入賞役に対応して予め定めた絵柄の組合せである場合に、その入賞役に入賞し、払い出しが必要な場合には所定数のメダルを払い出すスロットマシンにおいて、規定の外径よりも小さいメダルを選別して排除するメダルセレクタの移送ガイド手段のメダル転動面を、メダルの下方部分を側面からガイドする下部ガイド側が低くなる傾斜面として、メダルとメダル転動面との接触面積を減らし、安定した選別機能を実現した。
【実施例１】
【００１７】
＜全体の構成＞
図１は、本発明の第１実施例に係る遊技台としてのスロットマシンの外観を示す正面図である。
【００１８】
図１に示すように、スロットマシン１００の中央内部には、外周面に複数種類の絵柄（「７」、「Ｂａｒ」、「ベル」、「リプレイ」等：図示省略）を配列した円筒状のリールが３個（左リール１１０、中リール１１１、右リール１１２）収納され、本体１０１の内部で回転できるように構成されている。
【００１９】
前面扉１０２には、リール表示窓１１３が設けられており、各リール１１０〜１１２を正面から眺めると、これに施された絵柄がリール表示窓１１３から縦方向に３つ見えるようになっている。つまり、各リール１１０〜１１２が停止した場合、遊技者は、合計９（３×３）個の絵柄を見ることができる。この各リール１１０〜１１２が回転し、停止することにより、様々な絵柄の組合せが表示されることになる。なお、本実施形態では、３個のリールを備えているが、リールの数やリールの設置位置はこれに限定されるものではない。
【００２０】
各リール１１０〜１１２の裏側には、リール表示窓１１３に表示される個々の絵柄を照らすためのバックライト（図示せず）が配置されている。このバックライトは、例えば、７色（赤、緑、青紫の三原色と、白色等をはじめとするこれらの混合色）の光を発することが可能であり、各原色に対応したＬＥＤ等を含んで構成される。
【００２１】
入賞ライン表示ランプ１２０は、各遊技毎に有効となる入賞ライン１１４を示すランプである。有効となる入賞ライン１１４は、スロットマシン１００に投入された遊技媒体（本実施形態ではメダルを想定する。）の枚数によって変化する。例えば、図１に示すように、水平に平行する３本の線と、斜めに交差する２本の線とからなる５本の入賞ライン１１４を有する場合、メダルを１枚投入したときは中段の水平な入賞ライン１１４、メダルを２枚投入したときは、上段及び下段の水平な入賞ライン１１４を加えた３本の入賞ライン１１４、メダルを３枚投入したときは、更に２本の斜めの入賞ライン１１４を加えた５本の入賞ライン１１４が有効となり、有効な入賞ライン１１４上に揃った絵柄の組合せによって入賞が判断されることとなる。勿論、入賞ライン１１４の数は５本に限定されるものではない。
【００２２】
スタートランプ１２１は、各リール１１０〜１１２が回転することができる状態にあることを遊技者に知らせるランプである。再遊技ランプ１２２は、入賞役である再遊技に入賞したとき（例えば、リプレイ−リプレイ−リプレイの再遊技絵柄の組合せが揃ったとき）、遊技者へ次の遊技が再遊技であることを知らせるランプである。再遊技の場合、次遊技において遊技媒体であるメダルの投入が免除される。告知ランプ１２３は、特別な入賞役（例えば、ビッグボーナス（ＢＢ）やレギュラーボーナス（ＲＢ））に内部当選した状態にあることを遊技者に報知するランプである。メダル投入ランプ１２４は、遊技者にメダルの投入が可能であることを知らせるランプである。
【００２３】
払出枚数表示器１２５は、メダルの払い出しのある何らかの入賞役に入賞したとき、遊技者へ払い出されるメダルの枚数を表示する表示器である。遊技回数表示器１２６は、ビッグボーナスゲーム中の一般ゲームの回数等を表示する表示器である。貯留枚数表示器１２７は、電子的に貯留（クレジット）しているメダルの枚数を表示する表示器である。演出用ランプ１２８は、遊技の興趣を高めるための演出に使用されるランプである。
【００２４】
メダル投入ボタン１３０，１３１は、貯留されたメダルをスロットマシン１００へ電子的に投入するための投入ボタンであり、いわゆる、ベットボタンと呼ばれているものである。本実施形態では、最大メダル投入ボタン１３０（いわゆる、マックスベットボタン）と、１枚メダル投入ボタン１３１を有し、これらのボタンのいずれかを押下することによって遊技に必要な１枚〜３枚のメダルがスロットマシン１００へ電子的に投入される。２枚のメダルを投入する場合は、１枚メダル投入ボタン１３１を２回押下することとなる。投入されたメダル枚数分は、現在の貯留枚数から減算されて残枚数が貯留枚数表示器１２７に表示される。
【００２５】
メダル投入口ブロック１３４は、遊技を開始するに当たって遊技者が直接メダルを投入するための投入口を有する。スタートレバー１３５は、遊技の開始操作として、各リール１１０〜１１２の回転を開始させるレバー型のスイッチである。
ストップボタンユニット１３６には、各ストップボタン１３７〜１３９が設けられている。各ストップボタン１３７〜１３９は、押下することによって対応する各リール１１０〜１１２を停止させるボタン型のスイッチである。各ストップボタン１３７〜１３９の内部にはランプ（図示せず）が設けられており、スタートレバー１３５が操作された後、各リール１１０〜１１２の停止操作が可能な状態になると、全ランプが点灯し、各ストップボタン１３７〜１３９が押下されるごとに消灯する。
【００２６】
精算ボタン１３２は、遊技者が獲得したメダルを精算して排出させる精算処理を行う場合に押下されるボタンである。なお、精算ボタン１３２は、遊技者がメダル投入口ブロック１３４から投入したメダルのうち所定枚数（例えば、３枚）以上のメダルまたは入賞によって獲得したメダルを最大５０枚まで貯留するか否かを切り換える場合にも使用され、例えば、一回精算ボタン１３２が押下されて精算処理が行われると、非貯留モードが設定され、もう一度精算ボタン１３２が押下されると、貯留モードが設定される。ここに、メダルの貯留とは、メダルを直接払い出さずに、電子的にその枚数を後述する制御部に一時記憶しておくことを意味する。メダル返却ボタン１３３は、詰まったメダルを返却するためのボタンである。
【００２７】
キー孔１４０は、扉開閉用のキーを差し込む孔で、キーを差し込んで時計方向へ回すと、ロックが解除され、スロットマシン１００の前面扉１０２を開けることができる。メダル排出口１５６は、メダルを排出するための開口であり、入賞時に払い出されるメダルはここから排出される。排出されたメダルは、受け皿５００に溜まるようになっている。
【００２８】
上部ランプ１５０、サイドランプ１５１、中央ランプ１５２、腰部ランプ１５３、下部ランプ１５４、受け皿ランプ（受け皿５００）は、遊技を盛り上げるための演出用のランプであり、遊技状態に応じて点灯／消灯／点滅する。
ドットマトリクスＬＥＤ表示装置１７０は、複数のＬＥＤを２次元に配置した表示装置であり、遊技に関する各種の情報（ゲームを盛り上げるためキャラクター等を登場させるゲーム画面、スロットマシン１００の内部で異常が発生した場合にエラーの内容を表示するエラー画面など）を表示することができる。このドットマトリクスＬＥＤ表示装置１７０に代えて、演出用のリールを装備してもよい。演出用のリールは、各リール１１０〜１１２に対応させて３つ設けるようにしてもよい。更に、前記ドットマトリクスＬＥＤ表示装置１７０に代えて、液晶表示装置を用いて演出表示等を行うようにしてもよい。
上部スピーカの音孔１６０と、中央スピーカの音孔１６１とは、装飾が施されたスピーカカバーが装着され、ここから遊技の効果音が出力される。
【００２９】
＜制御部＞
図２を参照してスロットマシンの制御部の構成について説明する。
【００３０】
本実施例における制御部は、全体を制御する主制御部３００と、遊技を盛り上げるための演出に関する制御等を遂行する副制御部４００と、ドットマトリクスＬＥＤ表示装置１７０を制御するドットマトリクスＬＥＤ表示制御部（図示省略）で構成されている。尚、ドットマトリクスＬＥＤ表示装置１７０に代えて、液晶表示装置や演出用のリール等を用いる場合には、それらの表示制御部で構成する。
【００３１】
＜主制御部３００＞
マイクロプロセッサ（以下、ＭａｉｎＣＰＵと称す）３１０は、スロットマシン１００における制御の中枢となるものであり、バス３７０を介して、周辺部との間で制御信号やデータの受渡が行われる。
【００３２】
乱数発生器３１１は、内部抽選等に用いられる乱数を発生するもので、複数のカウンタ、クロック発振器、分周器及びラッチ回路等で構成される。乱数発生器３１１が発生した乱数値は、バス３７０を介して、ＲＡＭ３１３の乱数記憶領域に記憶され、必要に応じてＭａｉｎＣＰＵ３１０へ送られる。
【００３３】
ＭａｉｎＣＰＵ３１０には、入力インターフェース３６０およびバス３７０を介して、メダル投入口ブロック１３４の投入口から投入されたメダルを検知するメダルセンサ３２０、スタートレバー１３５の操作を検知するスタートレバーセンサ３２１、ストップボタン１３７〜１３９のいずれかが押された場合、どのストップボタンが押されたかを検知するストップボタンセンサ３２２、及び、メダル投入ボタン１３０，１３１のいずれかが押下された場合、どのメダル投入ボタンが押されたかを検知するメダル投入ボタンセンサ３２３、精算ボタン１３３の押下に伴って動作する精算ボタンスイッチ３２４が接続されている。
【００３４】
ＲＯＭ（リード・オンリー・メモリ）３１２は、各種制御を行うためのプログラムや、後述する各種テーブルデータ等を記憶する記憶手段の一つである。ＲＡＭ（ランダム・アクセス・メモリ）３１３は、ＭａｉｎＣＰＵ３１０によって処理されるプログラムのワークエリアを有し、可変データ等を記憶する記憶手段の一つである。
【００３５】
また、各リール１１０〜１１２の回転と停止を行うモーター（図示省略）を制御するモーター制御部３３０、及び、メダル払出装置（いわゆる、ホッパー：図示省略）を制御するホッパー制御部３３１が、入出力インターフェース３３２及びバス３７０を介してＭａｉｎＣＰＵ３１０に接続されている。
【００３６】
演出用ランプ・表示器類３４０とは、図１で示した入賞ライン表示ランプ１２０、スタートランプ１２１、再遊技ランプ１２２等のランプ類や、払出枚数表示器１２５、遊技回数表示器１２６等の各種表示器をまとめて表したもので、出力インターフェース３４２およびバス３７０を介してＭａｉｎＣＰＵ３１０に接続されている。
【００３７】
出力インターフェース３５０は、ＭａｉｎＣＰＵ３１０の指示に基づき、各種のコマンドを副制御部４００の入力インターフェース４４０へ送信する。コマンドには、例えば、メダルが投入されたことを示すコマンド、スタートレバー１３５が操作されたことを示すコマンド、押されたストップボタン１３７〜１３９を示すコマンド、演出の内容（バックライト、上部ランプ１５０、音声出力、ドットマトリクスＬＥＤ表示装置１７０等による演出の内容）を規定したコマンド等がある。
【００３８】
＜副制御部４００＞
マイクロプロセッサ（以下、ＳｕｂＣＰＵと称す）４１０は、主制御部３００から送信された各種コマンドを入力インターフェース４４０およびバス４３０を介して受信し、受信したコマンドの内容に応じて副制御部４００全体を制御する。
【００３９】
ＲＯＭ４１１は、副制御部４００全体を制御するためのプログラムやデータ等を記憶する記憶手段の一つである。ＲＡＭ４１２は、ＳｕｂＣＰＵ４１０で処理されるプログラムのワークエリアを有し、可変データ等を記憶する記憶手段の一つである。
【００４０】
バックライト４２０は、リールの絵柄を照らすライトで、ＳｕｂＣＰＵ４１０の指示に従って点灯／点滅／消灯する。演出用ランプ４２１は、上部ランプ１５０、サイドランプ１５１、中央ランプ１５２、腰部ランプ１５３、下部ランプ１５４、受け皿ランプ（受け皿５００）をまとめて表したもので、ＳｕｂＣＰＵ４１０の指示に従って点灯／点滅／消灯する。バックライト４２０および演出用ランプ４２１は、出力インターフェース４２２を介してバス４３０を経てＳｕｂＣＰＵ４１０と接続されている。
【００４１】
出力インターフェース４５０は、ＳｕｂＣＰＵ４１０の指示に基づき、各種制御データをドットマトリクスＬＥＤ表示制御部（図示省略）へ送信する。この制御データに基づいて、ドットマトリクスＬＥＤ表示制御部は、ドットマトリクスＬＥＤ表示装置１７０を制御する。
【００４２】
楽音信号形成部４６０は、ＳｕｂＣＰＵ４１０から受け渡された制御信号やデータに基づいて、楽音信号を形成して出力する。この楽音信号は、アンプ４６１で増幅された後、スピーカ（具体的には上部スピーカ及び中央スピーカ）４６２から音として出力される。
【００４３】
＜遊技の基本的制御＞
図３は、本実施形態のスロットマシン１００における遊技の基本的制御を示すフローチャートである。
遊技の基本的制御は、ＭａｉｎＣＰＵ３１０が中心になって行い、電源断等を検知しないかぎり、同図の処理を繰り返し実行する。
【００４４】
先ず、Ｓ１０１では、ＲＡＭ３１３のクリヤや初期値の設定等の初期化処理を実行する。次に、Ｓ１０２では、メダル投入処理として、メダルの投入数に応じた入賞ライン表示ランプ１２０の点灯等を行う。尚、メダル投入ボタン１３０，１３１によるクレジットによる投入も、メダル投入口ブロック１３４の投入口から、実際のメダルを投入する場合も同等に処理する。
【００４５】
Ｓ１０３では、遊技のスタート操作に関する処理を行う。スタートレバー１３５が操作された場合、投入されたメダル枚数を確定する。次いで、Ｓ１０４では、確定されたメダル枚数に基づいて、有効な入賞ライン１１４を確定する。
【００４６】
Ｓ１０５では、乱数発生器３１１で発生させた乱数値を取得する。
Ｓ１０６では、ＲＯＭ３１２に格納されている抽選データテーブルと、Ｓ１０５で取得した乱数値を用いて、入賞役の内部当選の当否を定める内部抽選を行う。なお、抽選データテーブルには、あらかじめ、ＢＢ、ＲＢ、小役等の抽選確率に応じたデータが格納されている。
【００４７】
Ｓ１０７では、例えば、ドットマトリクスＬＥＤ表示装置１７０においてどのような演出を行うか決めたり、ゲームを盛り上げるためキャラクター等を登場させる、演出抽選処理を行う。
【００４８】
Ｓ１０８では、Ｓ１０５で取得した乱数値を用いて、リール停止制御テーブルを選択し、各リール１１０〜１１２の回転を開始させる。
【００４９】
Ｓ１０９では、ストップボタン１３７〜１３９の受付が可能になり、いずれかのストップボタンが押されると、押されたストップボタンに対応するリールを、Ｓ１０６で選択したリール停止制御テーブルに基づいて停止させる。
【００５０】
Ｓ１１０では、入賞判定を行う。ここでは、有効化された入賞ライン１１４上に、入賞役に対応する絵柄組合せが表示された場合にその入賞役に入賞したと判定する。例えば、有効化された入賞ライン１１４上に、例えば「ベル−ベル−ベル」が揃っていたならば、ベル入賞と判定する。また、例えば「青７−青７−青７」が揃っていたならば、ＢＢ入賞と判定する。
【００５１】
Ｓ１１１では、払い出しのある何らかの入賞役に入賞していれば、その入賞役に対応する枚数のメダルを払い出す。
【００５２】
Ｓ１１２では、遊技状態を制御する。例えば、ＢＢ入賞時には、次の遊技からＢＢゲームが開始されるように準備をし、ＢＢ終了時には、次の遊技から通常の遊技が開始されるように準備させる。
【００５３】
＜メダルセレクタ＞
図４はメダルセレクタの組立斜視図、図５は分解斜視図、図６は要部の斜視図である。また、図７はメダルセレクタの正面説明図、図８は図７におけるＸ−Ｘ′線断面図、図９は図７におけるＹ−Ｙ′線断面図、図１０は図７におけるＺ−Ｚ′線断面図である。
【００５４】
メダルセレクタ６は、メダル投入口ブロック１３４のメダル投入口に投入されたメダルを選別し、サイズの小さい不正なメダルを選別して受け皿５００に排出すると共に、正規のメダルを取り込んでホッパーのメダルタンク（図示せず）に送り出すユニット化された装置である。即ち、このメダルセレクタ６は、例えば図５に示すように、メダル通路を形成するセレクタ本体ユニット６１と、このセレクタ本体ユニット６１に着脱自在に設けられる側面ガイドユニット６２と、投入されたメダルＭを受け皿５００に案内する開閉及び着脱可能なカバーガイド６３と、から構成されている。尚、メダルセレクタ６は、取付基板６４を介してスロットマシン１００の前面扉１０２の裏面側に、着脱可能に取り付られる。
【００５５】
セレクタ本体ユニット６１は、メダル選別口６１１を開設した平面形状がほゞコ字状のベース基板６１２を中心に構成してある。上記メダル選別口６１１は、底辺がメダルＭの移送方向に沿って下り傾斜する斜めに開設した横長な開口であって、このメダル選別口６１１の下縁付近には、投入されたメダルＭが転動しながらメダルタンクの方向へ移動するメダル通路を形成する移送ガイド６５が、ネジ等の止着手段６５１によって取り付けてある。
【００５６】
上記メダル選別口６１１の上縁付近には、スペーサ部材６６１を設ける。このスペーサ部材６６１は、例えば合成樹脂製の板材であって、ほゞメダルＭと同じ厚さを有し、前記ベース基板６１２にネジ６６３等の止着手段で着脱可能に取り付けられている。また、上記スペーサ部材６６１は、投入されて転動するメダルＭの上縁が係止する係止爪６６２を有し、転動するメダルＭの上部一側をガイドする上部ガイド６６を構成する。
【００５７】
前記メダル選別口６１１には、投入されたメダルＭを、遊技者の操作に応じて、受け皿５００に返却するためのメダル返却装置６７が臨ませてある。このメダル返却装置６７は、図６或いは図８に示すように、遊技者が操作した返却ボタン１３３に対応する受圧部６７１を有する返却プレート６７２が、軸６７３を支点に回動自在に装着され、この軸６７３に嵌装した戻りスプリング６７４により、前記返却プレート６７２の先端部６７５を、前記メダル選別口６１１から追い出す方向に付勢している。このため、通常では、返却プレート６７２の先端部６７５が前記メダル選別口６１１から外れているので、当該返却プレート６７２の影響を受けることなく、投入されたメダルＭが、図５に示す取付基板６４に設けた断面ほゞＪ字状の搬送樋６４１を介して、図示していないホッパーのメダルタンクへ向けて移送される。
【００５８】
一方、遊技者が、メダル詰まりを解除するために、返却ボタン１３３を操作すると、当該ボタン１３３の押圧部１３３ａが、返却プレート６７２の受圧部６７１を押圧し、返却プレート６７２が前記戻りスプリング６７４の付勢に抗して回動し、先端部６７５がメダル選別口６１１の中に突入する。すると、突入した先端部６７５により、メダル通路に詰まったメダルＭが落下して受け皿５００に返却される。
【００５９】
前記メダル選別口６１１には、投入されたメダルＭを側面からガイドする側面ガイドユニット６２を臨ませる。この側面ガイドユニット６２は、前記したベース基板６１２に対して回動自在且つ着脱自在に設けられている。即ち、前記したメダル返却装置６７の軸６７３を、この側面ガイドユニット６２も支軸６２１として共有し、当該軸６２１に嵌装した装着スプリング６２２により、着脱自在且つ回動自在に装着してある。
【００６０】
このため、側面ガイドユニット６２は、装着時に、前記したベース基板６１２に対峙するガイド基板６２３を有し、このガイド基板６２３に軸受部６２４と、後述する押圧片６２５とが装着してある。上記軸受部６２４は、ガイド基板６２３の一部をほゞコ字状に屈曲成型し、屈曲先端部に軸受溝６２４ａを形成したものである。尚、ガイド基板６２３の上流側の上縁が外向きに屈曲されて、ベース基板６１２と対峙したときの間隔を拡げて、メダル投入口に投入されたメダルＭを、前記ベース基板６１２と間に落とし込むようになっている。
【００６１】
また、前記装着スプリング６２２は、中央部分に係止端部６２２ａが形成してあり、前記軸受溝６２４ａに前記軸６７３を嵌着したときに、この係止端部６２２ａが前記ガイド基板６２３に開設した係止口６２６に係止することにより、側面ガイドユニット６２がセレクタ本体ユニット６１に装着される。
【００６２】
側面ガイドユニット６２は、可動型押出しガイド６２７を備える。即ち、この可動型押出しガイド６２７は、前記ガイド基板６２３に軸６２８により回動自在に設けられると共に、この軸６２８に巻装したトーションスプリング６２９によりメダルＭを押圧する方向に緩く付勢され、当該可動型押出しガイド６２７の押圧片６２５の先端が、前記メダル選別口６１１に臨んでいる。
【００６３】
前記メダル選別口６１１の下縁付近には、投入されたメダルＭが転動するメダル転動面６５２を有する移送ガイド６５が、メダルＭの下部一側をガイドするベース基板６１２に対して止着されている。
【００６４】
この移送ガイド６５は、例えば図８、９、１０等に示すように、前記したスペーサ部材６６１とほゞ同じ厚さを有する板材であって、ネジ等の止着手段６５１によって、前記メダル選別口６１１の下縁から若干下がった位置に取り付けてある。また、この移送ガイド６５は、メダルＭが転動して流下するように下り傾斜が設けてある。そして、メダルセレクタ６を、図５に示す取付基板６４に装着した場合に、前記移送ガイド６５の流下端が、前記した取付基板６４の搬送樋６４１の入口に連絡し、投入されたメダルＭを図示していないホッパーのメダルタンクへ移送するメダル通路を形成する。
【００６５】
そして、前記移送ガイド６５のメダル転動面６５２を、メダルＭの下部一側をガイドする下部ガイド６８としてのベース基板６１２側が低くなるように、傾斜させている。即ち、図１１の断面図に示すように、メダル転動面６５２を傾斜面としている。この傾斜角θは、水平面に対して例えば３〜１０°程度、好ましくは、５°前後に設定するのが好適である（図１１（ａ）参照）。
【００６６】
上記のように、メダル転動面６５２が傾斜していると、この傾斜に対応して分力が生じて、メダルＭがベース基板６１２側に付勢され、メダルＭのガイド力が向上する（図１１（ｂ）参照）。また、メダル転動面６５２が傾斜していると、メダルＭとメダル転動面６５２との接触面積が最小となるので、溜まった汚れＲの影響を受け難い（図１１（ｂ）参照）。
【００６７】
従って、正規のメダルＭが堆積した汚れＲに乗り上げるために発生するところの、正規のメダルＭまでもが誤って排除されてしまう誤動作を確実に防止することができる。しかも、メダル転動面６５２が傾斜することで、汚れＲがベース基板６１２に寄った傾斜下流側に堆積することになり、この堆積した汚れＲはメダルＭとメダル転動面６５２との接触点より下側となるため、更に汚れＲの影響を受け難くなる（図１１（ｃ）参照）。
【実施例２】
【００６８】
図（ｄ）は、本発明の第２の実施例を示す断面図である。この実施例では、移送ガイド６５の転動面６５２を下部ガイド６８と離間して配置している。即ち、移送ガイド６５と、下部ガイド６８であるベース基板６１２との間に、隙間Ｐを設けている。
この実施例によれば、メダルＭから剥がれ落ちる汚れＲを、メダル転動面６５２に堆積させることなく、隙間Ｐから排除することができるので、汚れＲの影響を受けることなくメダルＭが転動可能である。
従って、堆積した汚れＲの影響で、正規のメダルまでもが排除される誤動作が発生することがなく、安定したメダルの選別が可能である。
尚、この実施例における遊技台としてのスロットマシン及びコインセレクタの構成は、前記した第１の実施例におけるスロットマシン及びコインセレクタの構成と同様なので説明を省略する。
【実施例３】
【００６９】
図１１（ｅ）は、本発明の第３の実施例を示す断面図である。この実施例では、メダル転動面６５２に、平滑層６５３を設けている。この平滑層６５３は、例えばフッソ樹脂のコーティングや塗布等によって形成したり、平滑テープを貼着することにより形成する。
この実施例によれば、平滑層６５３の作用により、メダルＭの滑りがよくなるばかりではなく、汚れＲの堆積も防止可能である。また、耐摩耗性を向上させることもできる。
尚、この第３の実施例を前記した第２の実施例と組み合わせて、メダル転動面６５２に平滑層６５３を設けると共に、下部ガイド６８であるベース基板６１２との間に隙間Ｐを設けることも可能である。
また、この実施例における遊技台としてのスロットマシン及びコインセレクタの構成は、前記した第１の実施例におけるスロットマシン及びコインセレクタの構成と同様なので説明を省略する。
【００７０】
図１１（ｆ）は、本発明の第４の実施例を示す断面図である。この実施例では、メダル転動面６５２を、下部ガイド６８であるベース基板６１２側が下がった傾斜面とする共に、下に向けて凸状の円弧面６５４を形成している。
この実施例によっても、メダルと転動面６５２との接触抵抗が少なく、汚れＲの影響を受け難くなる。
尚、この実施例における遊技台としてのスロットマシン及びコインセレクタの構成は、前記した第１の実施例におけるスロットマシン及びコインセレクタの構成と同様なので説明を省略する。
【００７１】
次に、前記したような構成のメダルセレクタ６の動作を簡単に説明する。メダルセレクタ６を備えるスロットマシンにおいて、遊技を行うために、遊技者がメダルＭをメダル投入ブロック１３４のメダル投入口へ投入する。
【００７２】
メダル投入口から投入したされたメダルＭは、メダル通路を例えば図７に二点鎖線で示すＡ〜Ｆの経路で流下する。このとき、メダルＭの下縁を傾斜状に形成したメダル転動面６５２が支えると共に、側面ガイドユニット６２の可動型の押出しガイド６２７が側方より緩く押圧する。このため、メダルＭが正規のものであって規定の外径を有していれば、上縁が上部ガイド６６である係止爪６６２に係止する。従って、当該メダルＭは、メダル通路を形成する移送ガイド６５の下り傾斜にしたがって、メダルタンクへ連なる送り出し口へ向けて転動しながら流下する。
【００７３】
このとき、本発明においては、前記したように、メダル転動面６５２が、下部ガイド６８であるベース基板６１２側が低くなるように傾斜している。このため、下部ガイド６８側へ下り傾斜したメダル転動面６５２を転動するメダルＭには、メダル転動面６５２の傾斜に対応した分力が生じ、転動するメダルが傾斜下側の下部ガイド側へ付勢され、メダルＭのガイド力が向上する（図１１（ｂ）参照）。
また、メダル転動面６５２が傾斜しているので、メダルＭとメダル転動面６５２との接触面積が減少し、転動時の抵抗も少ない。
更に、メダル転動面６５２が傾斜しているため、汚れＲも傾斜の影響を受けて傾斜の下側となる下部ガイド６８に寄った位置に堆積することになるが、この下部ガイド６８側では、メダル転動面６５２とメダルＭの下面とは接触することがなく空間となっているので、この空間内に汚れが堆積しても、転動するメダルＭは当該汚れＲの影響を受けることがない（図１１（ｃ）参照）。たとえ、この空間から溢れる程に汚れＲが堆積しても、前記したように、転動するメダルＭには、下部ガイド６８側へ付勢する分力が働いて、メダルＭのガイド力が向上しているので、転倒し難く、汚れＲの影響を受け難い。
このため、メダル転動面６５２に汚れＲが堆積していても、汚れＲの影響を受け難く、メダルＭが転倒して、メダル選別口６１１からカバーガイド６３との間の空間に落下して、受け皿５００へ返却されてしまうことがない。
【００７４】
従って、ゲームに必要な規定枚数のメダルＭを投入したにも拘らず、遊技者が望んだ入賞ラインにならなかったり、メダルＭを再投入するために遊技のリズムを崩されることがない。
【００７５】
一方、遊技者が投入したメダルＭが、規定の外径よりも小さい不正なメダルの場合には、メダルＭの上縁が、上部ガイド６６である係止爪６６２に係止しなかったり、係止しても係止幅が僅かなので、側面ガイドである押出しガイド６２７により側方を緩く押圧されると、容易にメダルＭが転倒して、メダル選別口６１１から落下し、受け皿５００に返却される（図９参照）。
【００７６】
前記のようにして、メダル通路を転動して送り出し口に達した正規のメダルＭは、メダル通路の終端付近に臨ませたメダル投入センサＳによって検出される。これにより、投入されたメダルＭが規定枚数に達したときには、ブロッカソレノイド６９１を作動させて、メダルブロッカ６９２をメダル選別口６１１内に突入させて、以後、投入されるメダルＭを、強制的に受け皿５００に返却するようになっている（図１０参照）。また、前記ブロッカソレノイド６９１は、所定の絵柄が揃って、メダルＭの再投入なしに再遊技が可能なときにも作動して、誤って投入されるメダルＭを返却する（図１０参照）。そして、前記メダル投入センサＳを通過した正規のメダルＭは、図５に示す取付基板６４の搬送樋６４１を介して図示していないホッパーのメダルタンクへ貯留されることになる。
【００７７】
ところで、前記した本発明においては、メダル転動面を傾斜させることで、メダルの重量に基づく分力を発生させて、メダルのガイド力、言い換えるとメダルの支持力を増している。この支持力を増すためには、メダル通路自体を傾斜させて、メダルを側面からも支持するようにすればよい。
しかしながら、メダルを側面からも支持したのでは、メダルとメダル通路を構成するガイド部材との接触抵抗が著しく増大してしまうため、メダルのスムーズな転動が不可能になってしまう。
そこで、本発明は、遊技台のメダルセレクタにおいてメダルのスムーズな転動を損なうことなく、安定した選別を可能にするためのものであって、単にメダル転動面を傾斜させたものではない。
【図面の簡単な説明】
【００７８】
【図１】本発明に係るメダルセレクタを備える遊技台としてのスロットマシンの外観を示す正面図である。
【図２】本発明に係る遊技台としてのスロットマシンの制御ブロック図である。
【図３】本発明に係る遊技台としてのスロットマシンの遊技の基本的制御を示すフローチャートである。
【図４】メダルセレクタの組立斜視図である。
【図５】メダルセレクタの分解斜視図である。
【図６】メダルセレクタの要部の斜視図である。
【図７】メダルセレクタの正面説明図である。
【図８】図７におけるＸ−Ｘ′線断面図である。
【図９】図７におけるＹ−Ｙ′線断面図である。
【図１０】図７におけるＺ−Ｚ′線断面図である。
【図１１】メダル通路の断面を示す説明図であり、（ａ）〜（ｂ）は第１の実施例の説明図、（ｄ）は第２の実施例の説明図、（ｅ）は第３の実施例の説明図、（ｆ）は第４の実施例の説明図である。
【図１２】従来のメダルセレクタにおける動作を説明する要部の断面図であり、（ａ）はメダルが投入される前、（ｂ）はメダルを移送中、（ｃ）はメダルを排出する状態を、それぞれ示す。
【図１３】従来のメダルセレクタにおいてメダルが誤って排出される過程を説明する要部の断面図であって、（ａ）は汚れが堆積していない状態、（ｂ）は汚れが堆積した状態、（ｃ）は堆積した汚れにメダルが載った状態、（ｄ）は汚れによってメダルが傾倒した状態、（ｅ）はメダルが更に傾倒して移動ガイドから外れた状態、をそれぞれ示す。
【符号の説明】
【００７９】
６  メダルセレクタ
６１  セレクタ本体ユニット
６２  側面ガイドユニット
６３  カバーガイド
６４  取付基板
６５  移送ガイド
６６  上部ガイド
６７  メダル返却装置
６８  下部ガイド
７３  押出し部材
１００  スロットマシン
１０１  本体
１０２  前面扉
１３４  メダル投入口ブロック
５００  受け皿
６１１  メダル選別口
６１２  ベース基板
６２３  ガイド基板
６２５  押圧片
６２７  押出しガイド
６５２  メダル転動面
６５３  平滑層
６５４  円弧面
６６２  係止爪
６９１  ブロッカソレノイド
６９２  メダルブロッカ
７１１  爪部
７１２  上部ガイド
７１３  下部ガイド
７１４  移送ガイド
７１５  転動面
７２２  押出しガイド
７２３  押圧片
【図１】
2005052397.tif 000003
【図２】
2005052397.tif 000004
【図３】
2005052397.tif 000005
【図４】
2005052397.tif 000006
【図５】
2005052397.tif 000007
【図６】
2005052397.tif 000008
【図７】
2005052397.tif 000009
【図８】
2005052397.tif 000010
【図９】
2005052397.tif 000011
【図１０】
2005052397.tif 000012
【図１１】
2005052397.tif 000013
【図１２】
2005052397.tif 000014
【図１３】
2005052397.tif 000015